(57)【要約】【課題】  第１記録部に記録されたコンテンツを、複数のディスク記録媒体に連続して記録する場合に、あるディスク記録媒体の最後に記録されたデータを、次位のディスク記録媒体の最初にも再度記録する。【解決手段】  システム制御回路１１０は、ハードディスク装置１４０のコンテンツのデータを連続して読出して、複数のＤＶＤ１７２に順次に記録する場合に、複数ＤＶＤ１７２のうちのあるＤＶＤ１７２にコンテンツの一部データを記録した結果、当該ＤＶＤ１７２において残りデータを記録するための領域がないＦＵＬＬ状態になったことを検知すると、次位のＤＶＤ１７２において、ＦＵＬＬ状態となった先のＤＶＤ１７２の最後に記録された所定量データを最初に再度記録し、続いて当該コンテンツの残りデータをハードディスク装置１４０から連続して読出して記録する。【選択図】        図１
2006294164.tif 000002
【特許請求の範囲】
【請求項１】
コンテンツが格納されるハードディスク装置である第１記録部と、
複数のディスク記録媒体を有する第２記録部と、
前記第１記録部のコンテンツの任意位置のデータから連続して読出して、前記第２記録部の複数のディスク記録媒体に順次に記録するための制御手段と、
前記制御手段により、前記複数のディスク記録媒体のうちのあるディスク記録媒体に前記コンテンツの一部データを記録した結果、当該あるディスク記録媒体において残りデータを記録するための領域がないＦＵＬＬ状態になったことを検知する検知手段と、
前記コンテンツの前記第１記録部における記録開始位置と、記録終了位置と、前記記録開始位置から前記記録終了位置にわたって周期的に記録されたタイムスタンプが指示する当該コンテンツの全記録期間の長さデータとを含む管理情報を格納する管理情報記録部とを備えて、
前記制御手段は、
前記検知手段による前記ＦＵＬＬ状態の検知に応じて、次位の前記ディスク記録媒体において、前記あるディスク記録媒体の最後に記録された所定量データを最初に再度記録し、続いて前記コンテンツの残りデータを前記第１記録部から連続して読出して記録する再記録手段を含み、
前記所定量データは、外部からの入力データに基づき決定され、かつ、前記所定量データを前記次位のディスク記録媒体に再度記録するか否かは、外部からの指示に基づき決定され、
前記再記録手段は、
前記検知手段により前記ＦＵＬＬ状態が検知された際に前記第１記録部から読出された前記タイムスタンプ、および前記管理情報の前記記録開始位置、前記記録終了位置ならびに前記全記録期間の長さデータに基づき、前記ＦＵＬＬ状態が検知されたときの前記第１記録部からのデータの読出位置を算出する読出位置算出手段を有し、
前記あるディスク記録媒体の最後に記録された前記所定量データを前記第１記録部から再度読出して、前記次位のディスク記録媒体に最初に記録し、
前記次位のディスク記録媒体において、前記所定量データを最初に再度記録し続いて前記コンテンツの残りデータを記録するための、前記第１記録部におけるデータ読出開始位置を、前記入力データに対応の記録期間の長さ、前記読出位置算出手段により算出された前記読出位置、および前記管理情報の前記全記録期間の長さ、前記記録開始位置ならびに前記記録終了位置に基づき特定し、
前記第１記録部のコンテンツの前記任意位置のデータは、前記コンテンツの再生中に再生が中断された時点で読出されたデータ、または、前記コンテンツの先頭データである、ディスク記録装置。
【請求項２】
コンテンツが格納される第１記録部と、
複数のディスク記録媒体を有する第２記録部と、
前記第１記録部のコンテンツの任意位置のデータから連続して読出して、前記第２記録部の複数のディスク記録媒体に順次に記録するための制御手段と、
前記制御手段により、前記複数のディスク記録媒体のうちのあるディスク記録媒体に前記コンテンツの一部データを記録した結果、当該あるディスク記録媒体において残りデータを記録するための領域がないＦＵＬＬ状態になったことを検知する検知手段とを備えて、
前記制御手段は、
前記検知手段による前記ＦＵＬＬ状態の検知に応じて、次位の前記ディスク記録媒体において、前記あるディスク記録媒体の最後に記録された所定量データを最初に再度記録し、続いて前記コンテンツの残りデータを前記第１記録部から連続して読出して記録する再記録手段を含む、ディスク記録装置。
【請求項３】
前記所定量データは、外部からの入力データに基づき決定される、請求項２に記載のディスク記録装置。
【請求項４】
前記所定量データを前記次位のディスク記録媒体に再度記録するか否かは、外部からの指示に基づき決定される、請求項２または３に記載のディスク記録装置。
【請求項５】
前記再記録手段は、
前記あるディスク記録媒体の最後に記録された前記所定量データを前記第１記録部から再度読出して、前記次位のディスク記録媒体に最初に記録することを特徴とする、請求項２から４のいずれか１項に記載のディスク記録装置。
【請求項６】
前記コンテンツの前記第１記録部における記録開始位置と、記録終了位置と、前記記録開始位置から前記記録終了位置にわたって周期的に記録されたタイムスタンプが指示する当該コンテンツの全記録期間の長さデータとを含む管理情報を格納する管理情報記録部をさらに備えて、
前記再記録手段は、
前記検知手段により前記ＦＵＬＬ状態が検知された際に前記第１記録部から読出された前記タイムスタンプ、および前記管理情報の前記記録開始位置、前記記録終了位置ならびに前記全記録期間の長さデータに基づき、前記ＦＵＬＬ状態が検知されたときの前記第１記録部からのデータの読出位置を算出する読出位置算出手段を有し、
前記入力データに対応の記録期間の長さ、前記読出位置算出手段により算出された前記読出位置、および前記管理情報の前記全記録期間の長さ、前記記録開始位置ならびに前記記録終了位置に基づき、前記次位のディスク記録媒体において、前記所定量データを最初に再度記録し続いて前記コンテンツの残りデータを記録するための、前記第１記録部におけるデータ読出開始位置を特定する、請求項２から５のいずれか１項に記載のディスク記録装置。
【請求項７】
前記第１記録部のコンテンツの前記任意位置のデータは、前記コンテンツの再生中に再生が中断された時点で読出されたデータである、請求項２から６のいずれか１項に記載のディスク記録装置。
【請求項８】
前記第１記録部のコンテンツの前記任意位置のデータは、前記コンテンツの先頭データである、請求項２から６のいずれか１項に記載のディスク記録装置。
【請求項９】
前記第１記録部は、ハードディスク装置である、請求項２から８のいずれか１項に記載のディスク記録装置。
【請求項１０】
コンテンツが格納されるハードディスク装置である第１記録部と、
複数のディスク記録媒体を有する第２記録部と、
前記第１記録部のコンテンツの任意位置のデータから連続して読出して、前記第２記録部の複数のディスク記録媒体に順次に記録するための制御手段と、
前記コンテンツの前記第１記録部における記録開始位置と、記録終了位置と、前記記録開始位置から前記記録終了位置にわたって周期的に記録されたタイムスタンプが指示する当該コンテンツの全記録期間の長さデータとを含む管理情報を格納する管理情報記録部とを備えるディスク記録装置におけるディスク記録方法であって、
前記制御手段により前記複数のディスク記録媒体のうちのあるディスク記録媒体に前記コンテンツの一部データを記録した結果、当該あるディスク記録媒体において残りデータを記録するための領域がないＦＵＬＬ状態になったことを検知する検知ステップと、
前記検知ステップによる前記ＦＵＬＬ状態の検知に応じて、次位の前記ディスク記録媒体において、前記あるディスク記録媒体の最後に記録された所定量データを最初に再度記録し、続いて前記コンテンツの残りデータを前記第１記録部から連続して読出して記録する再記録ステップとを含み、
前記再記録ステップは、
前記検知ステップにより前記ＦＵＬＬ状態が検知された際に前記第１記録部から読出された前記タイムスタンプ、および前記管理情報の前記記録開始位置、前記記録終了位置ならびに前記全記録期間の長さデータに基づき、前記ＦＵＬＬ状態が検知されたときの前記第１記録部からのデータの読出位置を算出する読出位置算出ステップと、
前記次位のディスク記録媒体において、前記第１記録部から読出される前記所定量データを最初に再度記録し続いて前記コンテンツの残りデータを記録するための、前記第１記録部におけるデータ読出開始位置を、前記入力データに対応の記録期間の長さ、前記読出位置算出ステップにおいて算出された前記読出位置、および前記管理情報の前記全記録期間の長さ、前記記録開始位置ならびに前記記録終了位置に基づき特定する読出開始位置特定ステップとを含み、
前記所定量データは、外部からの入力データに基づき決定され、かつ、前記所定量データを前記次位のディスク記録媒体に再度記録するか否かは、外部からの指示に基づき決定され、
前記第１記録部のコンテンツの前記任意位置のデータは、前記コンテンツの再生中に再生が中断された時点で読出されたデータ、または、前記コンテンツの先頭データである、ディスク記録方法。
【請求項１１】
コンテンツが格納される第１記録部と、
複数のディスク記録媒体を有する第２記録部と、
前記第１記録部のコンテンツの任意位置のデータから連続して読出して、前記第２記録部の複数のディスク記録媒体に順次に記録するための制御手段とを備えるディスク記録装置におけるディスク記録方法であって、
前記制御手段により、前記複数のディスク記録媒体のうちのあるディスク記録媒体に前記コンテンツの一部データを記録した結果、当該あるディスク記録媒体において残りデータを記録するための領域がないＦＵＬＬ状態になったことを検知する検知ステップと、
前記検知ステップによる前記ＦＵＬＬ状態の検知に応じて、前記制御手段により、次位の前記ディスク記録媒体において、前記あるディスク記録媒体の最後に記録された所定量データを最初に再度記録し、続いて前記コンテンツの残りデータを前記第１記録部から連続して読出して記録する再記録ステップとを含む、ディスク記録方法。
【発明の詳細な説明】
【技術分野】
【０００１】
この発明はディスク記録装置および方法に関し、特に、一方のディスク記録媒体の情報を他のディスク記録媒体に記録するディスク記録装置および方法に関する。
【背景技術】
【０００２】
近年、ＨＤＤ（Hard disk drive）を内蔵した録画装置が提供されている。ＨＤＤは大容量であるので、ＨＤＤに多量の番組などを録画しておき、後日ＨＤＤに記録されたシリーズの番組データを、分割しながら、分割後の各番組データを複数のＤＶＤ（digital versatile disc）に記録（保存）するという、いわゆる分割ダビングが行なわれていた。
【０００３】
分割ダビングにおいて、１シリーズの番組データが、複数枚のＤＶＤわたって記録される場合、１枚目のＤＶＤから２枚目のＤＶＤに記録する時点で、番組データが分割されてしまう。そのため、ユーザお気に入りのシーンが、１枚目のＤＶＤの最後の記録データと、２枚目のＤＶＤの先頭の記録データとに２分されることがある。したがって再生する場合には、１枚目のＤＶＤを再生した場合にはお気に入りシーンの途中で不意に映像表示が終了し、２枚目のＤＶＤの再生を開始した場合にはお気に入りシーンの途中から映像が表示開始されることになり、ユーザの当該番組データに対する興味が減退する要因ともなり得る。
【０００４】
そこで、このような分割ダビング時の不都合を解消する対策が望まれていた。つまり、上述のようなお気に入りの場面を十分に楽しむことができるように、１枚目のＤＶＤの最後に再生されていた映像を２枚目のＤＶＤの先頭部分でも再度、再生する機能の提供が望まれていた。
【０００５】
このような分割ダビングに関する技術が、たとえば特許文献１に提案されている。特許文献１ではＨＤＤに記録されたコンテンツを、当該コンテンツのデータ量がＤＶＤのデータ記録可能容量を超える場合でも、当該コンテンツをＨＤＤから複数のＤＶＤに分割しながら記録するための手順が示されている。
【特許文献１】特開２００４−００５８５５号公報
【発明の開示】
【発明が解決しようとする課題】
【０００６】
特許文献１には、ＨＤＤのコンテンツ（映像）データを、異なるＤＶＤ間で重複または欠落することなく、連続して複数枚のＤＶＤに記録する手順が示されてはいるが、上述した要望を満たすための構成は何ら提案されていない。
【０００７】
したがって、ＨＤＤに記録されたコンテンツを、複数のＤＶＤに連続して記録する場合に、あるＤＶＤの最後に記録されたデータを、次位のＤＶＤの最初にも再度記録する機能を有するディスク記録装置の提供が求められる。しかしながら、このようなダビングにおいては限られたサイズの記録領域に多量のデータを効率的に記録するというのが一般的な目的ゆえに、メーカなどが、あるＤＶＤの最後に記録されたデータを、次位のＤＶＤの最初にも再度記録する機能を提供するとの動機付けがされるのは困難であった。
【０００８】
それゆえに、この発明の目的は、第１記録部に記録されたコンテンツを、第２記録部の複数のディスク記録媒体に連続して記録する場合に、あるディスク記録媒体の最後に記録されたデータを、次位のディスク記録媒体の最初にも再度記録するディスク記録装置および方法を提供することである。
【課題を解決するための手段】
【０００９】
この発明のある局面に従うディスク記録装置は、コンテンツが格納される第１記録部と、複数のディスク記録媒体を有する第２記録部と、第１記録部のコンテンツの任意位置のデータから連続して読出して、第２記録部の複数のディスク記録媒体に順次に記録するための制御手段と、制御手段により、複数のディスク記録媒体のうちのあるディスク記録媒体にコンテンツの一部データを記録した結果、当該あるディスク記録媒体において残りデータを記録するための領域がないＦＵＬＬ状態になったことを検知する検知手段とを備える。
【００１０】
制御手段は、検知手段によるＦＵＬＬ状態の検知に応じて、次位のディスク記録媒体において、あるディスク記録媒体の最後に記録された所定量データを最初に再度記録し、続いてコンテンツの残りデータを第１記録部から連続して読出して記録する再記録手段を含む。
【００１１】
したがって、制御手段により第１記録部に記録されたコンテンツを、第２記録部の複数のディスク記録媒体に連続して記録する場合に、検知手段により、あるディスク記録媒体において残りデータを記録するための領域がないＦＵＬＬ状態になったことを検知すると、当該ディスク記録媒体の最後に記録されたデータは、再記録手段により次位のディスク記録媒体の最初にも再度記録される。
【００１２】
それゆえに、先に記録したあるディスク記録媒体のデータを再生し、続いて次位のディスク記録媒体を再生開始すると、先のディスク記録媒体の最後に再生された所定量データと同一のデータを、次位のディスク記録媒体のデータ再生時に最初に再度再生することができる。その結果、ユーザがお気に入りのシーンデータが先のディスク記録媒体と次位のディスク記録媒体にまたがって記録されるとしても、先のディスク記録媒体の最後に再生されたお気に入りシーンを、次位のディスク記録媒体の最初の再生シーンとして再度楽しむことができて、ユーザのコンテンツに対する興味低下を防止できる。
【００１３】
好ましくは、所定量データは、外部からの入力データに基づき決定される。
【００１４】
好ましくは、所定量データを次位のディスク記録媒体に再度記録するか否かは、外部からの指示に基づき決定される。
【００１５】
好ましくは、再記録手段は、あるディスク記録媒体の最後に記録された所定量データを第１記録部から再度読出して、次位のディスク記録媒体に最初に記録する。
【００１６】
好ましくは、コンテンツの第１記録部における記録開始位置と、記録終了位置と、記録開始位置から記録終了位置にわたって周期的に記録されたタイムスタンプが指示する当該コンテンツの全記録期間の長さデータとを含む管理情報を格納する管理情報記録部をさらに備える。そして、再記録手段は、検知手段によりＦＵＬＬ状態が検知された際に第１記録部から読出されたタイムスタンプ、および管理情報の記録開始位置、記録終了位置ならびに全記録期間の長さデータに基づき、ＦＵＬＬ状態が検知されたときの第１記録部からのデータの読出位置を算出する読出位置算出手段を有する。入力データに対応の記録期間の長さ、読出位置算出手段により算出された読出位置、および管理情報の全記録期間の長さ、記録開始位置ならびに記録終了位置に基づき、次位のディスク記録媒体において、所定量データを最初に再度記録し続いてコンテンツの残りデータを記録するための、第１記録部におけるデータ読出開始位置を特定する。
【００１７】
好ましくは、第１記録部のコンテンツの任意位置のデータは、コンテンツの再生中に再生が中断された時点で読出されたデータ、または、コンテンツの先頭データである。したがって、コンテンツの先頭データからでも、また途中データからでも、複数ディスク記録媒体に分割しながら記録することができる。
【００１８】
好ましくは、第１記録部はハードディスク装置である。
【００１９】
この発明の他の局面に従うディスク記録方法は、コンテンツが格納される第１記録部と、複数のディスク記録媒体を有する第２記録部と、第１記録部のコンテンツの任意位置のデータから連続して読出して、第２記録部の複数のディスク記録媒体に順次に記録するための制御手段とを備えるディスク記録装置におけるディスク記録方法であって、制御手段により、複数のディスク記録媒体のうちのあるディスク記録媒体にコンテンツの一部データを記録した結果、当該ある記録媒体において残りデータを記録するための領域がないＦＵＬＬ状態になったことを検知する検知ステップと、検知ステップによるＦＵＬＬ状態の検知に応じて、制御手段により、次位のディスク記録媒体において、あるディスク記録媒体の最後に記録された所定量データを最初に再度記録し、続いてコンテンツの残りデータを第１記録部から連続して読出して記録する再記録ステップとを含む。
【発明の効果】
【００２０】
本発明によれば、第１記録部のコンテンツを分割しながら、第２記録部の複数のディスク記録媒体に順次に記録する場合には、先に記録したあるディスク記録媒体のデータを再生し、続いて次位のディスク記録媒体を再生開始すると、先のディスク記録媒体の最後に再生された所定量データと同一のデータを、次位のディスク記録媒体のデータ再生時に最初に再度再生することができる。その結果、ユーザがお気に入りのシーンデータが先のディスク記録媒体と次位のディスク記録媒体にまたがって記録されるとしても、先のディスク記録媒体の最後に再生されたお気に入りシーンを、次位のディスク記録媒体の最初の再生シーンとして再度楽しむことができて、ユーザのコンテンツに対する興味低下を防止できる。
【発明を実施するための最良の形態】
【００２１】
以下、この発明の実施の形態について図面を参照して説明する。
【００２２】
図１には、この発明の実施の形態に係るディスク記録再生装置１００の構成が示される。ディスク記録再生装置１００は、外部にリモコン（リモートコントローラの略）１２０、ＴＶ（Television）放送信号を受信するためのアンテナ１９０、スピーカ４０１および表示部４０２が接続される。
【００２３】
ディスク記録再生装置１００は、当該装置を集中的に管理および制御するためのマイクロコンピュータなどからなるシステム制御回路１１０、システム制御回路１１０から与えられた映像および音声データ（ＭＰＥＧ（motion picture experts group）に従ってコード化された映像および音声データ）をデコードして出力するＭＰＥＧデコーダ１５４、ＭＰＥＧデコーダ１５４から与えられた映像データと、ＯＳＤ（on screen display）画像生成回路１１４から与えられたＯＳＤのための画像データとを合成して出力する合成回路１５８、合成回路１５８から与えられた映像および音声データをアナログの映像および音声信号に変換して出力するＤ／Ａ（digital／analog）変換部１６０、Ｄ／Ａ変換部１６０から与えられた映像信号を所定処理して表示部４０２に表示させるための映像出力部１６８、Ｄ／Ａ変換部１６０から与えられた音声信号を増幅など所定処理してスピーカ４０１を介して外部に出力するための音声出力部１１３を備える。
【００２４】
ＯＳＤ画像生成回路１１４は、システム制御回路１１０からＯＳＤ画像のためのデジタルデータが与えられる場合には、与えられるデジタルデータに基づいて、文字や絵などの画像データを生成し、生成した画像データを合成回路１５８に与える。合成回路１５８は、ＯＳＤ画像生成回路１１４から画像データが与えられる場合には、当該画像データとＭＰＥＧデコーダ１５４から入力する映像データとを合成して合成したデータを出力するが、与えられない場合には、ＭＰＥＧデコーダ１５４から入力する映像データをそのままＤ／Ａ変換部１６０に出力する。合成回路１５８から合成された映像データが表示部４０２に表示される場合には、映像は文字や絵などの画像が重畳されて表示される。合成回路１５８は与えられる音声データはそのまま出力する。
【００２５】
さらにディスク記録再生装置１００は、リモコン１２０から送信された赤外線変調されたリモコンコードを受信して、復調し、リモコンコードをシステム制御回路１１０に出力する受光部１２４、ユーザにより操作されて、操作により入力したデータをシステム制御回路１１０に出力する操作部１２２、時間を計測して時間データをシステム制御回路１１０に出力する計時回路１２６およびシステム制御回路１１０から与えられるデータに基づき操作結果、動作状態などの各種情報を表示するための液晶などからなる表示部１２８を備える。
【００２６】
さらにディスク記録再生装置１００は、外部からＤＶＤ１７２が着脱自在に装着されて、装着されたＤＶＤ１７２について情報を書込または読出するためのＤＶＤ駆動装置１７０、ディスク１４４およびディスク１４４の情報を読み書きするためのヘッド１４２を有するハードディスク装置１４０を備える。さらにディスク記録再生装置１００は、外部入力部１３２を備える。外部入力部１３２は図示のない外部の装置から与えられる映像信号または音声信号を入力してＡ／Ｄ変換部１３４に出力する。
【００２７】
さらにディスク記録再生装置１００は、アンテナ１９０を介して受信するＴＶ放送信号（映像信号と音声信号とを含む）から、システム制御回路１１０により指示されるチャンネルのＴＶ放送信号を抽出して出力するチューナ１３０、チューナ１３０から与えられる放送信号または外部入力部１３２から与えられるコンテンツ信号をデジタルデータに変換して出力するＡ／Ｄ変換部１３４、およびＡ／Ｄ変換部１３４から与えられたデータをエンコードしてシステム制御回路１１０に出力するＭＰＥＧエンコーダ１５２を備える。
【００２８】
システム制御回路１１０は、メモリ１１２を内蔵する。メモリ１１２には、後述するダビング終了位置データＥＰ、読出開始位置データＲＥ、レジュームポイントデータＲＰ、戻り量データＤＤおよびフラグＦＬが格納される。
【００２９】
図２（Ａ）および（Ｂ）には、ディスク１４４に記録される情報の内容例が模式的に示される。図２（Ａ）を参照してディスク１４４は領域Ｅ１およびＥ２を含む。領域Ｅ２には１つ以上のファイルデータ１４６が格納される。ファイルデータ１４６は、ＴＶ放送信号による番組データまたは外部入力部１３２を介して外部装置から入力したコンテンツデータに対応する。
【００３０】
ファイルデータ１４６が放送番組データである場合、放送番組データは、アンテナ１９０、チューナ１３０、Ａ／Ｄ変換部１３４、ＭＰＥＧエンコーダ１５２、システム制御回路１１０およびハードディスク装置１４０を介して領域Ｅ２に格納される。また、ファイルデータ１４６が外部装置から与えられるコンテンツデータである場合には、当該コンテンツデータは外部入力部１３２、Ａ／Ｄ変換部１３４、ＭＰＥＧエンコーダ１５２、システム制御回路１１０およびハードディスク装置１４０を介して、領域Ｅ２に格納される。
【００３１】
領域Ｅ１には、領域Ｅ２に格納された１つ以上のファイルデータ１４６を管理するためのファイル管理情報１４５が格納される。ファイル管理情報１４５は図２（Ｂ）に示されるように、ファイルデータ１４６のそれぞれに対応して、当該ファイルデータ１４６が示す情報（番組またはコンテンツ）のタイトル１４７、先頭位置データ１４８、終了位置データ１４９および総タイムスタンプ情報１５０が格納される。
【００３２】
ファイルデータ１４６がアンテナ１９０を介して受信したテレビ放送の番組データである場合には、タイトル１４７はＥＰＧ（電子プログラムガイド）データに基づいて得られる。先頭位置データ１４８と終了位置データ１４９は、対応のファイルデータ１４６の領域Ｅ２における先頭位置と最終位置のアドレスを示す。
【００３３】
総タイムスタンプ情報１５０は、ディスク１４４にファイルデータ１４６の先頭位置データ１４８から終了位置データ１４９までの領域に記録された当該ファイルデータにかかる時間を示す。ハードディスク装置１４０はシステム制御回路１１０の制御のもとに、ファイルデータ１４６を領域Ｅ２に記録するとき、計時回路１２６からの時間情報を用いてタイムスタンプ情報も同時に記録する。タイムスタンプ情報は、周知のように、ファイルデータ１４６を構成する映像データと音声データの同期をとるために記録される。具体的には、タイムスタンプ情報は、ファイルデータ１４６の記録時に、先頭位置データ１４８が示すアドレスから終了位置データ１４９が示すアドレスの領域にわたって、ファイルデータ１４６のデータとともに更新されながら周期的に書込まれる。あるタイムスタンプ情報は、先頭位置データ１４８のアドレスを記録開始時間とした場合に、当該タイムスタンプ情報が書込まれた位置に対応して記録されたデータ（映像データまたは音データ）の記録時間を示している。したがって、総タイプスタンプ情報１５０は、先頭位置データ１４８を記録開始時間とし、終了位置データ１４９を記録終了時間とした場合の両者の差分（記録期間の長さ）に相当する値を示す。
【００３４】
図３には、本発明の実施の形態に係るディスク記録再生装置１００の機能構成が示される。図３の各部は、プログラムとして予めメモリ１１２などに準備されて、システム制御回路１１０の図示のないＣＰＵなどにより各プログラムが読出されて、読出されたプログラムが実行されることにより、各部の機能が実行される。
【００３５】
図３のシステムは、システム制御回路１１０に対応する制御部５０、制御部５０により制御されるファイル選択部５１、データ読出部５２、フォーマット変換部５３、ファイナライズ部５４、レジュームポイント管理部５５、アドレス変換部５６、データ書込部５７および指示入力部５８を有する。
【００３６】
ファイル選択部５１は指示入力部５８から与えられる指示に基づき、領域Ｅ２に格納されたファイルデータ１４６のうちから、１つのファイルデータ１４６を選択する。データ読出部５２はヘッド１４２の制御機能を含み、ファイル選択部５１によって選択されたファイルデータ１４６を領域Ｅ２から読出す。フォーマット変換部５３は、ディスク１４４とＤＶＤ１７２の間でデータの転送が行なわれる場合に、必要に応じてデータのフォーマットの変換を行なう。ファイナライズ部５４は、ＤＶＤ駆動装置１７０を介してＤＶＤ１７２にデータを書込んだ場合に、当該ＤＶＤ１７２について必要に応じてファイナライズ処理を行なう。レジュームポイント管理部５５は、指示入力部５８から所定指示が与えられた時点でヘッド１４２により読出されたデータとともに、または当該データの読出し直前に読出されたタイムスタンプ情報を用いて、メモリ１１２のレジュームポイントデータＲＰを更新する。
【００３７】
アドレス変換部５６は、タイムスタンプ情報に相当のディスク１４４のアドレスを算出して、算出したアドレスを用いて、メモリ１１２のデータを更新する。
【００３８】
データ書込部５７は、ＤＶＤ駆動装置１７０を制御して、ＤＶＤ１７２にデータの書込を行なわせる。指示入力部５８は、受光部１２４を介して受信したリモコンコードに基づく指示、または操作部１２２を介して入力された指示を受付ける。
【００３９】
図４にはリモコン１２０の操作面が示される。リモコン１２０には、ディスク記録再生装置１００の電源をオン／オフするためのスイッチ２１、記録または再生対象の媒体をＤＶＤ駆動装置１７０のＤＶＤ１７２に指定するために操作されるスイッチ２２、記録または再生対象の媒体をハードディスク装置１４０のディスク１４４に指定するために操作されるスイッチ２３、テレビ放送のチャンネルなど各種情報を入力するためのテンキー２４、録画の開始を指示するために操作されるスイッチ２５、再生を指示するために操作されるスイッチ２６、録画動作または再生動作（早送り、巻戻しを含む）の停止を指示するために操作されるスイッチ２７、再生モードにおける早送りおよび巻戻しを指示するために操作されるスイッチ２８および２９、ダビングキー３０、複数の方向指示キー３２および入力情報の決定を指示するために操作される決定キー３３を含む。さらにリモコン１２０は、これらスイッチやキーの操作に従うリモコンコードを発生する部分（図示せず）を内蔵しており、当該部分はリモコンコードを発光部３１を介して赤外線変調して出力する。
【００４０】
ダビングキー３０は、ハードディスク装置１４０のディスク１４４に記録されたファイルデータ１４６を、ＤＶＤ駆動装置１７０のＤＶＤ１７２に移動またはコピー（以下、ダビングという）するのを指示するために操作される。
【００４１】
図５には、ダビングキー３０が操作された場合の表示部４０２における表示画面例が示される。ダビングキー３０が操作されると、対応のリモコンコードは発光部３１から送信されて受光部１２４により受信される。システム制御回路１１０は、受光部１２４から受信リモコンコードを入力すると、入力したリモコンコードに基づき、デジタルデータをＯＳＤ画像生成回路１１４に出力する。したがって、表示部４０２には当該デジタルデータに基づく図５の画面が表示される。
【００４２】
図５の画面によりユーザが所望するダビングの条件が入力される。具体的には、図５の画面には、オーバラップを許可（ＯＮ）するか禁止（ＯＦＦ）するかの指定を入力するためのアイコン３５、オーバラップの時間を秒単位で入力するためのアイコン３６、およびアイコン３７が表示される。アイコン３７は‘移動’または‘コピー’のいずれかが選択的に指定される。‘移動’が選択されると、ダビング処理によりＤＶＤ１７２にダビングされたファイルデータ１４６は、ダビング終了後にはディスク１４４から削除されることが指示される。‘コピー’が選択されるとダビング終了後もそのままディスク１４４に残して置くことが指示される。ユーザは所望に応じてアイコン３７の選択をすればよい。
【００４３】
アイコン３５と３７のデータ入力は例えばリモコン１２０の方向指示キー３２を操作することで選択でき、またデータ３６は、リモコン１２０のテンキー２４を操作することで入力できる。これら選択または入力した内容は、決定キー３３が操作されることにより指示入力部５８により受付される。このように、ユーザの所望に応じてオーバラップをするか否か、オーバラップの時間などを指定できるので、ユーザの所望するような態様のダビングが可能となり、使い勝手に優れる。
【００４４】
図６には選択されたファイルデータ１４６の全てのデータ（斜線で示すデータ）を４枚のＤＶＤ１７２（図中では、ＤＩＳＣ１〜ＤＩＳＣ４で示す）にダビングする手順が示される。本実施の形態では、ディスク１４４のファイルデータ１４６を、ＤＶＤ１７２にダビングをするために専用のダビングキー３０が設けられる。ダビングキー３０が操作されると、ファイルデータ１４６はディスク１４４から読出されて連続してＤＩＳＣ１〜ＤＩＳＣ４に、この順番で記録される。ダビングの途中において、たとえばＤＩＳＣ１がＦＵＬＬ状態（ＤＩＳＣ１はファイルデータ１４６を記録可能な領域を有さない状態）となりデータの記録ができなくなったときには、一旦ダビングは停止される。そして、ＦＵＬＬ状態のＤＩＳＣ１がＤＶＤ駆動装置１７０から取外されて新たな（データ記録可能な領域を有している）ＤＩＳＣ２がＤＶＤ駆動装置１７０に装着されると、新たなＤＩＳＣ２を用いてダビングが再開される。このようにして以降、ＤＩＳＣ３およびＤＩＳＣ４にも連続的にデータがダビングされる。
【００４５】
図６では、図５のアイコン３５と３６でオーバラップの許可と時間が指定されていた場合の手順が示される。ダビング再開時に、装着された新たなＤＶＤ１７２（次位のＤＶＤ１７２という）に最初に記録するデータのディスク１４４におけるアドレスはダビング開始位置である読出開始位置データＲＥで指示される。また、ダビング再開時に直前にＦＵＬＬ状態となり取外されたＤＶＤ１７２（先のＤＶＤ１７２という）に最後に記録されたデータのディスク１４４におけるアドレスはダビング終了位置データＥＰで指示される。そしてダビング終了位置データＥＰと読出開始位置データＲＥとの差分は、アイコン３６で指定された時間に対応の戻り量データＤＤで指示される。
【００４６】
このように図６のダビングにおいては、次位のＤＶＤ１７２の最初には、戻り量データＤＤで示されるデータ量に相当の先のＤＶＤ１７２の最後に記録されたデータが、再度記録される、言換えるとオーバラップして記録される。
【００４７】
図７では、図５のアイコン３５で上述のオーバラップの禁止が指定されていた場合、またはアイコン３６でオーバラップの時間が０と指定されていた場合の手順が示される。この場合のダビングにおいては、先のＤＶＤ１７２のダビング終了位置データＥＰと次位のＤＶＤ１７２の読出開始位置データＲＥとは一致するので、次位のＤＶＤ１７２には、先のＤＶＤ１７２に記録された一部データ（戻り量データＤＤで示されるデータ）が再度記録されることはない。
【００４８】
このように、ユーザは図５の画面で所望するデータを入力することで、図６のオーバラップを伴うダビングを実行させるか、または図７のオーバラップはないダビングを実行させるかを選択的に指定できる。
【００４９】
図６と図７では、ファイルデータ１４６の先頭（先頭位置データ１４８が示すアドレス）からダビングを開始しているが、ダビングの開始位置は先頭に限定されない。たとえば、選択されたファイルデータ１４６についてリモコン１２０のスイッチ２６が操作されて再生されている途中で、ユーザがその途中データからのダビングを所望した場合には、スイッチ２７を操作して再生を停止させて、その後にダビングキー３０を操作する。このダビングキー３０の操作に応じて、再生が停止した時点で読出されたデータのアドレス以降のデータについてダビングが開始される。この場合のダビングの手順は図８に模式的に示される。図８では、再生の停止がされダビングキー３０が操作された時点Ｔ１で読出されていたデータのアドレスがＤＩＳＣ１にダビングするための読出開始位置ＲＥとなる。
【００５０】
図６に示した手順を図９と図１０のフローチャートに従い説明する。図９と図１０のフローチャートに従うプログラムはメモリ１１２に予め格納されており、当該プログラムをシステム制御回路１１０の図示のないＣＰＵが読出し実行する。
【００５１】
まず、リモコン１２０のスイッチ２１が押下されて、ディスク記録再生装置１００の電源がオンされると、システム制御回路１１０は、初期化処理を行なう（ステップＳ（以下、単にＳと略す）１）。この初期化処理において、システム制御回路１１０は、メモリ１１２の各変数の初期化を行なう。なお、フラグＦＬは“０”に初期化される。
【００５２】
次に、ユーザはＤＶＤ駆動装置１７０にダビングのためのＤＶＤ１７２を装着する（Ｓ３）。その後、ダビング対象のファイルデータ１４６の選択とともに、読出開始位置データＲＥがセットされる（Ｓ５）。
【００５３】
具体的には、ユーザはリモコン１２０を操作してファイルデータ１４６のタイトル一覧を要求するので、システム制御回路１１０は、ハードディスク装置１４０を制御し、領域Ｅ１のファイル管理情報１４５の１つ以上のタイトル１４７を読出し、読出したタイトル１４７を、ＯＳＤ画像生成回路１１４を用いて、表示部４０２にタイトル一覧を表示する。ユーザは、表示されたタイトル一覧から、ダビングを所望するファイルデータ１４６のタイトル１４７を方向指示キー３２を用いて選択し、選択したタイトル１４７を決定キー３３を操作して決定する。この決定の指示は、指示入力部５８を介して受付けされて、制御部５０に与えられる。制御部５０は領域Ｅ１の管理情報１４５から、当該指定されたタイトル１４７に対応の先頭位置データ１４８を読出して、読出した先頭位置データ１４８をメモリ１１２の読出開始位置データＲＥにセットする。これにより、読出開始位置データＲＥは先頭位置データ１４８を指示する。
【００５４】
次に、制御部５０は、指示入力部５８からの入力情報に基づき、ユーザによりダビングキー３０が操作されたか否かを判断する（Ｓ７）。ダビングキー３０が操作されない（Ｓ７でＮＯ）、すなわち指示入力部５８からダビング指示が入力されない場合には、制御部５０は、ダビング以外の他の処理（Ｓ１１）に移行する。他の処理の説明は略す。
【００５５】
一方、ダビングキー３０が操作されて（Ｓ７でＹＥＳ）指示入力部５８がダビング指示を入力すると（Ｓ８）、制御部５０は指示入力部５８から当該ダビング指示を入力して、図５の画面を表示部４０２に表示する。ユーザはアイコン３５と３６に所望のデータを入力するので、制御部５０は、指示入力部５８から入力されたこれらデータを受付ける。そして、データ３５および３６の値に基づき、戻りデータ量ＤＤの値を決定する（Ｓ９）。つまり、アドレス変換部５６は、データ３６で指示されるオーバラップの時間を所定手順でタイムスタンプ情報に応じた値に換算し、換算したタイムスタンプ情報の値を相当するアドレス値に変換する。そして、変換されたアドレス値を用いてメモリ１１２の戻りデータ量ＤＤを更新する。
【００５６】
次に、図１０の手順に従いダビングが開始される（Ｓ１０）。まず、制御部５０は、メモリ１１２のフラグＦＬの値が“１”であるかを判断する（Ｓ３０）。現時点では、“０”であるから、制御部５０は、データ読出部５２に対して、読出開始位置データＲＥのアドレスからのデータの読出を指示する。これにより、データ読出部５２は、ハードディスク装置１４０を制御してディスク１４４の読出開始位置データＲＥが指示するアドレスからファイルデータ１４６を読出す（Ｓ３７）。
【００５７】
読出されたデータは、フォーマット変換部５３により、ＤＶＤ１７２のためのフォーマットに変換されて、その後、データ書込部５７に与えられるので、データ書込部５７は与えられるデータを、ＤＶＤ駆動装置１７０を介してＤＶＤ１７２（たとえばＤＩＳＣ１）に書込む（Ｓ４１）。
【００５８】
その後、制御部５０は、ＤＶＤ１７２に対するダビングが終了したか否かを検知する（Ｓ４３）。ダビング終了の検知は、ユーザが停止スイッチ２７を操作したこと、ＤＶＤ１７２がＦＵＬＬ状態になったこと、データ読出部５２によって当該ファイルデータ１４６の終了位置データ１４９で示すアドレスのデータの読出が完了したこと（すなわち選択されたファイルデータ１４６のダビングが終了したこと）に基づき判定される。
【００５９】
ＤＶＤ１７２がＦＵＬＬ状態になったことは、ＤＶＤ駆動装置１７０がＤＶＤ１７２のリードインエリアに予め記録されている当該ＤＶＤ１７２の記録可能データ容量と、当該ＤＶＤ１７２に記録されたデータ量とを比較することにより検知される。
【００６０】
ファイルデータ１４６の終了位置データ１４９で示すアドレスのデータの読出が完了したことは、ファイルデータ１４６の最後に記録されたＥＯＦ（end of file）マークが読出されたことに従い検知される。
【００６１】
Ｓ４３で終了が検知されなければ（Ｓ４３でＮＯ）、Ｓ３７に戻り、Ｓ３７〜Ｓ４１の処理が繰返される。一方、終了が検知されると（Ｓ４３でＹＥＳ）、現在のＤＶＤ１７２（ＤＩＳＣ１）についてファイナライズ部５４によりファイナライズ処理がなされる（Ｓ４５）。制御部５０は、ＤＶＤ１７２の交換が必要か否かを判定する（Ｓ４７）。Ｓ４３で、ファイルデータ１４６のダビングが終了したと検知されている場合には、制御部５０は、ディスク交換は必要ないと判定して、ＯＳＤ画像生成回路１１４を介して表示部４０２に‘ダビング終了’のメッセージが表示される（Ｓ４９）。当該メッセージを確認することでユーザはダビングが終了したことを知る。
【００６２】
一方、Ｓ４３で、ファイルデータ１４６のダビングが終了したと検知されていない場合には、制御部５０はダビングを継続させるためにディスク交換の必要があると判断して（Ｓ４７でＹＥＳ）、ＯＳＤ画像生成回路１１４を介して表示部４０２に‘ディスクを交換してください’のメッセージを表示する（Ｓ５１）。当該メッセージを確認することでユーザはＤＶＤ駆動装置１７０から先のＤＶＤ１７２（ＤＩＳＣ１）を取外し、次位のＤＶＤ１７２（ＤＩＳＣ２）を装着する。
【００６３】
以上の図１０のダビング処理が終了すると、図９のＳ１３に移行する。図９のＳ１３では、制御部５０は、フラグＦＬに０をセットし（Ｓ１３）、選択されたファイルデータ１４６のダビングを終了するか否かを判定する（Ｓ１５）。すなわち全データのダビングが完了したか否か、すなわち指定されたファイルデータ１４６のＥＯＦマークが読出されたか否かが判定される。ＥＯＦマークが読出されていれば、一連のダビング処理は終了する（Ｓ１５でＹＥＳ）。
【００６４】
一方、ＥＯＦマークが未だ読出されておらず全データのダビングが完了していなければ（Ｓ１５でＮＯ）、Ｓ５１で表示されたメッセージを確認したユーザによりＤＶＤ駆動装置１７０に装着された次位のＤＶＤ１７２（ＤＩＳＣ２）についてダビングを継続するために、ダビング終了位置データＥＰを更新する（Ｓ１７）。つまり、アドレス変換部５６は、直前のダビング処理においてディスク１４４から最後に読出されたタイムスタンプ情報を用いて相当するアドレスを算出して、算出したアドレスを用いてメモリ１１２のダビング終了位置データＥＰを更新する。このアドレスの算出手順について説明する。
【００６５】
ディスク１４４から読出されたタイムスタンプ情報は、当該ファイルデータ１４６の先頭位置データ１４８が指示するアドレスから再生開始した場合の、再生開始時点からの経過時間を指示する。また、当該ファイルデータ１４６の先頭位置データ１４８と終了位置データ１４９の差分は、当該ファイルデータ１４６の総タイムスタンプ情報１５０に相当する。したがって、任意のタイミングで読出されたタイムスタンプ情報に相当のアドレス値Ｘは後述の式（１）で算出できるので、算出したアドレス値Ｘを用いてダビング終了位置データＥＰを更新する。ただし、式（１）における変数Ａ１は先頭位置データ１４８の値を、変数Ａ２は終了位置データ１４９の値を、変数Ａ３は総タイムスタンプ情報の値を、変数Ａ４は読出されたタイムスタンプ情報の値を、それぞれ示す。
【００６６】
（Ａ２-Ａ１）：（Ｘ−Ａ１）＝Ａ３：Ａ４・・・（式１）。これにより、ダビング終了位置データＥＰは、先のＤＶＤ１７２に最後に記録されたデータのディスク１４４におけるアドレスを指示することになる。
【００６７】
その後、制御部５０は、ＤＶＤ駆動装置１７０からの指示に基づきディスクの交換が完了しているか否かを判断する（Ｓ１９）。交換がされていないと判断すると（Ｓ１９でＮＯ）、ダビングを継続できないので一連の処理を終了するが、交換がされていると判断すると（Ｓ１９でＹＥＳ）次位のＤＶＤ１７２についてダビングを継続することを指示するためにフラグＦＬに１をセットして（Ｓ２１）、ユーザによりダビングキー３０が操作されるか否かを判断する（Ｓ７）。操作された場合には、Ｓ８とＳ９の処理が同様に行なわれて、Ｓ１０（図１０）の処理に移行する。
【００６８】
図１０のダビング処理では、現時点ではフラグＦＬは‘１’にセットされていると判定されるので（Ｓ３０でＹＥＳ）、Ｓ３３の処理に移行する。
【００６９】
Ｓ３３では、メモリ１１２の読出位置データＲＥは、（ダビング終了位置データＥＰ−戻り量データＤＤ）の値により更新される。これにより、次位のＤＶＤ１７２（ＤＩＳＣ２）に記録されるデータは、ディスク１４４の更新後の読出位置データＲＥが指示するアドレス以降に記録されたデータとなる。その結果、先のＤＶＤ１７２（ＤＩＳＣ１）と次位のＤＶＤ１７２（ＤＩＳＣ２）の両方に図６のように戻り量データＤＤに相当の同じデータが記録される。このように読出位置データＲＥは上述の（式１）などを用いて簡単に算出できるので、ダビング時に余分な負荷をかけることはない。
【００７０】
その後は、Ｓ１５で、選択されたファイルデータ１６４の全データについてダビングが終了したと判定されるまで、次位のＤＶＤ１７２（ＤＩＳＣ３）、更なる次位のＤＶＤ１７２（ＤＩＳＣ４）について同様にダビング処理が行なわれる。
【００７１】
以上は、ダビング対象のファイルデータ１４６をタイトル一覧から選択する場合（当該ファイルデータ１４６の先頭データからダビングを開始する場合）の手順であるが、図８のように再生中のファイルデータ１４６のタイミングＴ１のアドレス以降に記録されているデータをダビングする場合には、図９のフローチャートの一部は、図１１のように変更される。
【００７２】
図１１では、図９の変更された部分のみが示される。まず、Ｓ１とＳ３の処理が前述と同様に行なわれて、所望のファイルデータ１４６が再生される（Ｓ４ａ）。再生は、再生終了となるまで、たとえばＥＯＦマークが検出されるまで継続される（Ｓ４ｂ）。
【００７３】
再生中のタイミングＴ１（図８参照）において停止のスイッチ２７が操作されると（Ｓ４ｃでＹＥＳ）、レジュームポイント管理部５５は指示入力部５８の再生停止指示に基づき、スイッチ２７が操作された時点（タイミングＴ１）で、またはその直前にディスク１４４から読出されたタイムスタンプ情報を用いてメモリ１１２のレジュームポイントＲＰを更新する。そして、アドレス変換部５６は、更新されたレジュームポイントＲＰが示すタイムスタンプ情報に相当のアドレスを算出して、算出したアドレスを用いてメモリ１２２の読出開始位置データＲＥを更新する（Ｓ５ｂ）。レジュームポイントＲＰに相当のアドレスは、レジュームポイントＲＰの値を変数Ａ４とし、かつ当該アドレス値を変数Ｘとして前述の（式１）を用いて算出することができる。その後は、図９のＳ７以降と同様の処理が行なわれる。これにより、図８で示したように、タイミングＴ１にける読出開始アドレスＲＥを算出できるのでファイルデータ１４６のユーザが所望する途中データからでもダビングを開始することができる。
【００７４】
なお、上述したダビング処理終了後は、図５のアイコン３７で‘移動’が選択されていた場合には、制御部５０はダビングされたファイルデータ１４６はディスク１４４から消去し、‘コピー’が選択されていた場合には消去しない。
【００７５】
また戻り量データＤＤはユーザが任意に設定できるとしているが、システム側が固定値として有しているとしてもよい。
【００７６】
ここでは、図７のＳ３９のフォーマット変換とＳ４５のファイナライズ処理を実行しているが、これら処理は必要とされる場合にのみ、たとえばユーザの指示に応じて実行されるようにしてもよい。
【００７７】
また、ここでは、ＤＶＤ１７２毎に図５の画面を表示する処理（Ｓ９）を実行しているが、１枚目のＤＶＤ１７２についてのみＳ９の処理を実行して、２枚目以降のＤＶＤ１７２についてはＳ９の処理をスキップするようにしてもよい。また、アイコン３７は最初に
図５の画面が表示されるときにのみ提示されるものとする。
【００７８】
図１２にはシステムの全体の外観が示される。ディスク記録再生装置１００は前面部には、ＤＶＤ１７２を挿入するためのディスク挿入口１７１、操作部１２２、受光部１２４、および表示部１２８を備える。ディスク記録再生装置１００には、ケーブル４０３を介してテレビジョン受像機４００が接続される。テレビジョン受像機４００は、スピーカ４０１と表示部４０２を備える。ディスク記録再生装置１００とテレビジョン受像機４００とはケーブル４０３に代替して無線で接続されるとしてもよい。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８０】
【図１】この発明の実施の形態に係るディスク記録再生装置の構成図である。
【図２】（Ａ）および（Ｂ）は、ディスクに記録される情報の内容例を模式的に示す図である。
【図３】本発明の実施の形態に係るディスク記録再生装置の機能構成図である。
【図４】本発明の実施の形態に係るリモコンの操作面を示す図である。
【図５】本発明の実施の形態に係る表示画面例を示す図である。
【図６】本発明の実施の形態に係る分割ダビングの一例を説明する図である。
【図７】本発明の実施の形態に係る分割ダビングの他の例を説明する図である。
【図８】本発明の実施の形態に係る分割ダビングのさらなる他の例を説明する図である。
【図９】本発明の実施の形態に係る処理フローチャートである。
【図１０】本発明の実施の形態に係る処理フローチャートである。
【図１１】本発明の実施の形態に係る処理フローチャートである。
【図１２】本発明の実施の形態に係るシステム全体の概観を示す図である。
【符号の説明】
【００８１】
３０  ダビングキー、１００  ディスク記録再生装置、１１０  システム制御回路、１１２  メモリ、１４０  ハードディスク装置、１４５  ファイル管理情報、１４６  ファイルデータ、１４７  タイトル、１４８  先頭位置データ、１４９  終了位置データ、１５０  総タイムスタンプ情報、１７０  ＤＶＤ駆動装置、ＲＥ  読出位置データ、ＥＰ  ダビング終了位置データ、ＲＰ  レジュームポイント、ＤＤ  戻り量データ、ＦＬ  フラグ。
【図１】
2006294164.tif 000003
【図２】
2006294164.tif 000004
【図３】
2006294164.tif 000005
【図４】
2006294164.tif 000006
【図５】
2006294164.tif 000007
【図６】
2006294164.tif 000008
【図７】
2006294164.tif 000009
【図８】
2006294164.tif 000010
【図９】
2006294164.tif 000011
【図１０】
2006294164.tif 000012
【図１１】
2006294164.tif 000013
【図１２】
2006294164.tif 000014